(57)【要約】【課題】光通信で配信される番組の視聴制限を行う。【解決手段】ＧＶ−ＯＬＴ１の制御部１３が映像信号を復調し、システム時刻１４を用いて視聴制限番組の視聴制限時間における位相を算出してＧＶ−ＯＮＵ２へ送信し、ＧＶ−ＯＬＴ１のシステム時刻１４と同期されたＧＶ−ＯＮＵ２のシステム時刻２１１が視聴制限時間になると、ＧＶ−ＯＮＵ２のＲＦ信号発生器２３が視聴制限番組の逆位相波を生成し、合成部２４が映像信号を復調したＲＦ信号と逆位相波を合成する。これにより、ＧＶ−ＯＮＵ２においてＲＦ信号の位相を正確に把握して視聴制限番組を打ち消すことができるので、番組の視聴制限を行うことが可能となる。【選択図】図１
2014216892.tif 000002
【特許請求の範囲】
【請求項１】
複数の番組の周波数からなる映像信号を光通信で配信する映像信号送信装置と前記映像信号を受信する映像信号受信装置を備えた映像通信システムであって、
前記映像信号送信装置は、
番組視聴制限要求を受信し、当該番組視聴制限要求から視聴制限番組と視聴制限時間を取得する受信手段と、
前記視聴制限番組に対応する周波数情報を取得する周波数情報取得手段と、
前記映像信号を入力して各周波数の復調波に復調する復調手段と、
前記復調波から前記周波数情報に対応する指定波を抽出する指定波抽出手段と、
前記映像信号受信装置と同期したシステム時刻を参照し、前記指定波の現在の位相を求めて、前記視聴制限時間における位相を計算する位相計算手段と、
前記周波数情報、前記視聴制限時間及び前記位相を含む番組視聴制限情報を前記映像信号受信装置へ送信する送信手段と、を有し、
前記映像信号受信装置は、
受信した前記映像信号を各周波数の復調波に復調する復調手段と、
前記番組視聴制限情報を受信し、当該番組視聴制限情報から前記周波数情報、前記視聴制限時間及び前記位相を取得する受信手段と、
前記映像信号送信装置と同期したシステム時刻が前記視聴制限時間となったときに、前記周波数情報と前記位相に基いて前記視聴制限番組に対応する逆位相波を発生する逆位相波発生手段と、
前記復調波と前記逆位相波を合成して出力する合成手段と、を有すること
を特徴とする映像通信システム。
【請求項２】
複数の番組の周波数からなる映像信号を光通信で映像信号受信装置に配信する映像信号送信装置であって、
番組視聴制限要求を受信し、当該番組視聴制限要求から視聴制限番組と視聴制限時間を取得する受信手段と、
前記視聴制限番組に対応する周波数情報を取得する周波数情報取得手段と、
前記映像信号を入力して各周波数の復調波に復調する復調手段と、
前記復調波から前記周波数情報に対応する指定波を抽出する指定波抽出手段と、
前記映像信号受信装置と同期したシステム時刻を参照し、前記指定波の現在の位相を求めて、前記視聴制限時間における位相を計算する位相計算手段と、
前記周波数情報、前記視聴制限時間及び前記位相を含む番組視聴制限情報を前記映像信号受信装置へ送信する送信手段と、
を有することを特徴とする映像信号送信装置。
【請求項３】
映像信号送信装置が光通信で配信する複数の番組の周波数からなる映像信号を受信する映像信号受信装置であって、
受信した前記映像信号を各周波数の復調波に復調する復調手段と、
番組視聴制限情報を受信し、当該番組視聴制限情報から視聴制限番組に対応する周波数情報、視聴制限時間及び視聴制限時間における位相を取得する受信手段と、
前記映像信号送信装置と同期したシステム時刻が前記視聴制限時間となったときに、前記周波数情報と前記位相に基いて前記視聴制限番組に対応する逆位相波を発生する逆位相波発生手段と、
前記復調波と前記逆位相波を合成して出力する合成手段と、
を有することを特徴とする映像信号受信装置。
【発明の詳細な説明】
【技術分野】
【０００１】
本発明は、映像を配信する技術に関する。
【背景技術】
【０００２】
近年、デジタル放送などの映像信号を光通信により各家庭に配信するサービスが広まっている。映像信号を配信する方法としては、例えば、Ｖ−ＯＬＴ（Ｖｉｄｅｏ  Ｏｐｔｉｃａｌ  Ｌｉｎｅ  Ｔｅｒｍｉｎａｌ）が出力する映像信号とＧＥ−ＯＬＴ（Ｇｉｇａｂｉｔ  Ｅｔｈｅｒｎｅｔ  Ｏｐｔｉｃａｌ  Ｌｉｎｅ  Ｔｅｒｍｉｎａｌ）が出力するデータ信号とをＷＤＭ（Ｗａｖｅｌｅｎｇｔｈ  Ｄｉｖｉｓｉｏｎ  Ｍｕｌｔｉｐｌｅｘｉｎｇ）スプリッタにより光波長多重したうえで光ファイバを介してユーザ宅に伝送し、ユーザ宅内に配置したＧＶ−ＯＮＵ（ＧＶ  Ｏｐｔｉｃａｌ  Ｎｅｔｗｏｒｋ  Ｕｎｉｔ）により電気の映像信号とデータ信号に変換し、映像信号を同軸ケーブルを経由させてＴＶへ入力する。
【先行技術文献】
【特許文献】
【０００３】
【特許文献１】特開２０１１−１１４４６９号公報
【発明の概要】
【発明が解決しようとする課題】
【０００４】
上記のように、ＲＦ信号を光通信で伝送する場合、特定の番組（周波数）のみに視聴制限を設けることは困難である。特定の周波数のみを取り除く方法としてユーザ宅内で逆位相の信号を合成する方法があるが、逆位相の信号を合成するためには、視聴制限する時間のＲＦ信号の位相を把握する必要があり、映像信号の送信側と時刻を同期させる必要がある。従来は、データ通信を行う局側のＧＥ−ＯＬＴとユーザ宅内のＧＶ−ＯＮＵとの間は時刻が同期されていたが、ＧＥ−ＯＬＴとＶ−ＯＬＴを別々の装置で構成し、それぞれの装置の出力をＷＤＭスプリッタで光波長多重していたため、映像信号を送信するＶ−ＯＬＴとＧＶ−ＯＮＵとの間では時刻は同期されていなかった。
【０００５】
本発明は、上記に鑑みてなされたものであり、光通信で配信される番組の視聴制限を行うことを目的とする。
【課題を解決するための手段】
【０００６】
第１の本発明に係る映像通信システムは、複数の番組の周波数からなる映像信号を光通信で配信する映像信号送信装置と前記映像信号を受信する映像信号受信装置を備えた映像通信システムであって、前記映像信号送信装置は、番組視聴制限要求を受信し、当該番組視聴制限要求から視聴制限番組と視聴制限時間を取得する受信手段と、前記視聴制限番組に対応する周波数情報を取得する周波数情報取得手段と、前記映像信号を入力して各周波数の復調波に復調する復調手段と、前記復調波から前記周波数情報に対応する指定波を抽出する指定波抽出手段と、前記映像信号受信装置と同期したシステム時刻を参照し、前記指定波の現在の位相を求めて、前記視聴制限時間における位相を計算する位相計算手段と、前記周波数情報、前記視聴制限時間及び前記位相を含む番組視聴制限情報を前記映像信号受信装置へ送信する送信手段と、を有し、前記映像信号受信装置は、受信した前記映像信号を各周波数の復調波に復調する復調手段と、前記番組視聴制限情報を受信し、当該番組視聴制限情報から前記周波数情報、前記視聴制限時間及び前記位相を取得する受信手段と、前記映像信号送信装置と同期したシステム時刻が前記視聴制限時間となったときに、前記周波数情報と前記位相に基いて前記視聴制限番組に対応する逆位相波を発生する逆位相波発生手段と、前記復調波と前記逆位相波を合成して出力する合成手段と、を有することを特徴とする。
【０００７】
第２の本発明に係る映像信号送信装置は、複数の番組の周波数からなる映像信号を光通信で映像信号受信装置に配信する映像信号送信装置であって、番組視聴制限要求を受信し、当該番組視聴制限要求から視聴制限番組と視聴制限時間を取得する受信手段と、前記視聴制限番組に対応する周波数情報を取得する周波数情報取得手段と、前記映像信号を入力して各周波数の復調波に復調する復調手段と、前記復調波から前記周波数情報に対応する指定波を抽出する指定波抽出手段と、前記映像信号受信装置と同期したシステム時刻を参照し、前記指定波の現在の位相を求めて、前記視聴制限時間における位相を計算する位相計算手段と、前記周波数情報、前記視聴制限時間及び前記位相を含む番組視聴制限情報を前記映像信号受信装置へ送信する送信手段と、を有することを特徴とする。
【０００８】
第３の本発明に係る映像信号受信装置は、映像信号送信装置が光通信で配信する複数の番組の周波数からなる映像信号を受信する映像信号受信装置であって、受信した前記映像信号を各周波数の復調波に復調する復調手段と、番組視聴制限情報を受信し、当該番組視聴制限情報から視聴制限番組に対応する周波数情報、視聴制限時間及び視聴制限時間における位相を取得する受信手段と、前記映像信号送信装置と同期したシステム時刻が前記視聴制限時間となったときに、前記周波数情報と前記位相に基いて前記視聴制限番組に対応する逆位相波を発生する逆位相波発生手段と、前記復調波と前記逆位相波を合成して出力する合成手段と、を有することを特徴とする。
【発明の効果】
【０００９】
本発明によれば、光通信で配信される番組の視聴制限を行うことができる。
【図面の簡単な説明】
【００１０】
【図１】本実施の形態における映像通信システムの構成を示す全体図である。
【図２】番組データベースに格納される番組と周波数情報との関係を例示した図である。
【図３】番組視聴制限情報を送信するパケットの例を示す図である。
【図４】ＧＶ−ＯＬＴの処理の流れを示すシーケンス図である。
【図５】制御部の処理の流れを示すシーケンス図である。
【図６】ＧＶ−ＯＮＵの処理の流れを示すシーケンス図である。
【図７】ＧＶ−ＯＬＴの処理の流れを示すフローチャートである。
【図８】ＧＶ−ＯＮＵの処理の流れを示すフローチャートである。
【発明を実施するための形態】
【００１１】
以下、本発明の実施の形態について図面を用いて説明する。
【００１２】
図１は、本実施の形態における映像通信システムの構成を示す全体図である。同図に示す映像通信システムは、通信事業者の局内に配置されるＧＶ−ＯＬＴ１とユーザ宅内に配置されるＧＶ−ＯＮＵ２を備える。ＧＶ−ＯＬＴ１は、データ信号を送受信するＧＥ−ＯＬＴ１１と映像信号を送信するＶ−ＯＬＴ１２を統合して１つの装置として構成したものである。ＧＶ−ＯＬＴ１とＧＶ−ＯＮＵ２とは光線路で接続される。図示していないが、１台のＧＶ−ＯＬＴ１に対しては複数のＧＶ−ＯＮＵ２が接続される。ＧＶ−ＯＬＴ１は、ＧＥ−ＯＬＴ１１がネットワークから受信したデータ信号とＶ−ＯＬＴ１２がＨＥ（Ｈｅａｄ  Ｅｎｄ）３から受信した映像信号を波長多重してＧＶ−ＯＮＵ２へ送信する。ＨＥ３は、アンテナで受信したデジタル放送などのＲＦ信号を光信号に変換してＧＶ−ＯＬＴ１へ送信する。ＧＶ−ＯＮＵ２は、ＧＶ−ＯＬＴ１から受信した光信号をデータ信号と映像信号に分離し、映像信号を電気信号に変換して同軸ケーブルを介してＴＶ５へ送信する。本実施の形態における映像通信システムでは、ユーザが端末４などから視聴を制限したい番組の情報を送信し、ＧＶ−ＯＬＴ１が指定された番組の視聴を制限する番組視聴制限情報をＧＶ−ＯＮＵ２へ送信し、ＧＶ−ＯＮＵ２が番組視聴制限情報で指定された番組の周波数で逆位相の信号を発生して映像信号と合成することで番組毎に視聴制限を行う。以下、ＧＶ−ＯＬＴ１、ＧＶ−ＯＮＵ２について説明する。
【００１３】
ＧＶ−ＯＬＴ１は、ＧＥ−ＯＬＴ１１、Ｖ−ＯＬＴ１２、利用者が要求する番組の視聴制限に基いて番組視聴制限情報を生成して送信する制御部１３、ＧＶ−ＯＮＵ２と正確に同期されたシステム時刻１４、およびデータ信号と映像信号を波長多重するＷＤＭスプリッタを備える。
【００１４】
制御部１３は、番組データベース１３１、ＲＦ信号復調部１３２、指定波抽出部１３３、および周波数・位相計算部１３４を備える。
【００１５】
番組データベース１３１は、各番組（チャンネル）について、周波数、振幅などの番組固有のパラメータを格納する。図２に、番組データベース１３１に格納されるデータの例を示す。ユーザは、視聴を制限する番組について、番組の開始・終了時刻、チャンネルなどの情報を送信するので、番組データベース１３１は、受信した情報から視聴制限番組の周波数、振幅を取得し、指定波抽出部１３３へ送信する。なお、番組データベース１３１には、予め各番組の番組固有のパラメータを格納しておく。
【００１６】
ＲＦ信号復調部１３２は、Ｖ−ＯＬＴ１２がＧＶ−ＯＮＵ２へ送信する映像信号である一括されたＲＦ信号を復調して電気信号に変換し、各周波数に戻されたＲＦ信号を指定波抽出部１３３へ送信する。
【００１７】
指定波抽出部１３３は、視聴制限番組に対応する周波数情報とバンドパスフィルタを用い、ＲＦ信号復調部１３２が復調したＲＦ信号から視聴制限番組に対応する指定波を抽出する。
【００１８】
周波数・位相計算部１３４は、システム時刻１４を用い、抽出された指定波と視聴制限対象の番組の周波数、振幅から現在の位相を求め、視聴制限したい時刻での位相を算出し、視聴制限番組に対応する周波数情報、視聴制限時間、視聴制限時間における位相情報を記載した番組視聴制限情報をＧＶ−ＯＮＵ２へ送信する。指定波の位相θは、次式（１）を用いて求める。
【００１９】
θ＝２πｆｔ  ・・・（１）
ここで、ｆは指定波の周波数、ｔは時刻を表す。
【００２０】
図３は、ＧＶ−ＯＮＵ２へ送信される番組視聴制限情報を送信するパケットの例を示す図である。パケットの先頭にはユーザのＧＶ−ＯＮＵ２を識別するＬＬＩＤ（Ｌｏｇｉｃａｌ  Ｌｉｎｋ  ＩＤ）が記載される。イーサネットヘッダ部、ＩＰｖ６ヘッダ部の後にデータ種別を記載する。データ種別の後には、データ種別に応じたデータが記載される。記載されるデータとしては、例えば、視聴制限番組の周波数情報、視聴制限時間、および視聴制限時間における視聴制限番組の位相／逆位相の情報がある。
【００２１】
ＧＶ−ＯＮＵ２は、データ信号を送受信するＧＥ−ＯＮＵ２１、映像信号を受信するＶ−ＯＮＵ２２、視聴制限番組の逆位相のＲＦ信号を発生するＲＦ信号発生器２３、逆位相のＲＦ信号とＶ−ＯＮＵ２２が復調したＲＦ信号とを合成する合成部２４、およびデータ信号と映像信号を分離するＷＤＭスプリッタを備える。また、ＧＥ−ＯＮＵ２１は、ＧＶ−ＯＬＴ１と正確に同期されたシステム時刻２１１を備える。
【００２２】
ＧＶ−ＯＬＴ１から送信された信号は、ＷＤＭスプリッタによりデータ信号と映像信号に分離される。ＧＥ−ＯＮＵ２１は、データ信号を入力し、番組視聴制限情報パケットでないパケットはユーザ宅内のネットワーク機器に転送する。番組視聴制限情報パケットを受信した場合は、視聴制限番組の周波数情報、視聴制限時間、および位相などの情報を抽出してＲＦ信号発生器２３へ送信する。
【００２３】
Ｖ−ＯＮＵ２２は、映像信号を入力して復調し、各周波数に戻されたＲＦ信号を合成部２４に入力する。
【００２４】
ＲＦ信号発生器２３は、システム時刻２１１が視聴制限時間になると、視聴制限番組に対応する逆位相波を生成して合成部２４に入力する。
【００２５】
合成部２４は、各周波数に戻されたＲＦ信号と逆位相波を合成し、視聴制限番組のみを打ち消してＴＶ５へ送信する。
【００２６】
次に、本実施の形態における映像通信システムの動作について説明する。
【００２７】
図４は、端末４から番組視聴制限の要求を受信したときのＧＶ−ＯＬＴ１の処理の流れを示すシーケンス図である。
【００２８】
ユーザが端末４に視聴を制限したい番組の情報を入力すると、端末４は、視聴を制限したい番組の情報を記載した番組視聴制限要求をユーザ宅内のＧＶ−ＯＮＵ２のＩＰアドレス、ＶＬＡＮ−ＩＤに向けて送信する（ステップＳ１０１）。
【００２９】
ＧＥ−ＯＬＴ１１は、番組視聴制限要求を受信し、宛先のＩＰアドレス、ＶＬＡＮ−ＩＤから宛先のＧＶ−ＯＮＵ２を示すＬＬＩＤを抽出する（ステップＳ１０２）。また、番組視聴制限要求から視聴制限番組、視聴制限時間を抽出し（ステップＳ１０３）、番組視聴制限情報として制御部１３へ送信する（ステップＳ１０４）。
【００３０】
図５は、制御部１３の処理の流れを示すシーケンス図である。
【００３１】
制御部１３は、ＧＥ−ＯＬＴ１１から番組視聴制限情報を受信すると（ステップＳ１０４）、番組データベース１３１から視聴制限番組に対応する周波数情報を取得し（ステップＳ１０５）、視聴制限番組を周波数情報に変換した番組視聴制限情報を指定波抽出部１３３へ送信する（ステップＳ１０６）。
【００３２】
また、ＲＦ信号復調部１３２は、Ｖ−ＯＬＴ１２から一括されたＲＦ信号を受信し（ステップＳ１０７）、各周波数へ復調して（ステップＳ１０８）、復調波を指定波抽出部１３３へ送信する（ステップＳ１０９）。
【００３３】
指定波抽出部１３３は、ＲＦ信号復調部１３２から受信した復調波から番組視聴制限情報で指定された周波数情報に該当する指定波を抽出し（ステップＳ１１０）、指定波のみを周波数・位相計算部１３４へ送信する（ステップＳ１１１）。
【００３４】
周波数・位相計算部１３４は、システム時刻１４を取得し（ステップＳ１１２）、指定波、周波数情報から現在の位相を求め、視聴制限時間における位相を算出する（ステップＳ１１３）。
【００３５】
そして、周波数・位相計算部１３４は、視聴制限番組の周波数情報、視聴制限時間、位相情報などを記載した番組視聴制限情報をＧＶ−ＯＮＵ２へ送信する（ステップＳ１１４）。
【００３６】
なお、Ｖ−ＯＬＴ１２は、ＨＥ３から受信した一括されたＲＦ信号をＧＶ−ＯＮＵ２へ常に送信している（ステップＳ１１５）。
【００３７】
図６は、ＧＶ−ＯＮＵ２の処理の流れを示すシーケンス図である。
【００３８】
ＧＶ−ＯＮＵ２は、番組視聴制限情報を受信すると（ステップＳ１１４）、ＲＦ信号発生器２３はＧＥ−ＯＮＵ２１からシステム時刻２１１を取得する（ステップＳ２０１）。
【００３９】
システム時刻２１１が視聴制限時間になると、受信した番組視聴制限情報から周波数情報、位相情報を抽出し、逆位相波を生成して、合成部２４へ送信する（ステップＳ２０２，Ｓ２０３）。
【００４０】
一方、Ｖ−ＯＮＵ２２は、一括されたＲＦ信号を受信すると（ステップＳ１１５）、ＲＦ信号を各周波数へ復調し、復調波を合成部２４へ送信する（ステップＳ２０４，Ｓ２０５）。
【００４１】
合成部２４は、各周波数の復調波と逆位相波を合成し（ステップＳ２０６）、視聴制限番組が除かれたＲＦ信号をＴＶ５へ送信する（ステップＳ２０７）。
【００４２】
続いて、本実施の形態におけるＧＶ−ＯＬＴ１の処理の流れについて説明する。
【００４３】
図７は、本実施の形態におけるＧＶ−ＯＬＴの処理の流れを示すフローチャートである。
【００４４】
ＧＥ−ＯＬＴ１１は、パケットを受信するとパケットから転送先のＬＬＩＤを抽出し（ステップＳ３１）、番組視聴制限を要求するパケットであるか否か判定する（ステップＳ３２）。
【００４５】
番組視聴制限を要求するパケットでない場合は（ステップＳ３２のＮｏ）、抽出したＬＬＩＤに従ってパケットを転送する（ステップＳ３９）。
【００４６】
番組視聴制限を要求するパケットであった場合（ステップＳ３２のＹｅｓ）、受信したパケットから視聴制限番組、視聴制限時間を抽出し（ステップＳ３３）、番組データベース１３１から視聴制限番組に対応する周波数情報を取得する（ステップＳ３４）。
【００４７】
ＲＦ信号復調部１３２は、ＨＥ３が送信する一括されたＲＦ信号を各周波数へ復調する（ステップＳ３５）。
【００４８】
指定波抽出部１３３は、ＲＦ信号復調部１３２が復調した復調波から視聴制限番組に対応する指定波を抽出する（ステップＳ３６）。
【００４９】
周波数・位相計算部１３４はシステム時刻１４を取得し、指定波、視聴制限番組に対応する周波数情報から現在の位相を求め、視聴制限時間における位相を計算し（ステップＳ３７）、周波数情報、視聴制限時間、位相情報などを記載した番組視聴制限情報をステップＳ３１で抽出したＬＬＩＤに対応するＧＶ−ＯＮＵ２へ送信する（ステップＳ３８）。
【００５０】
続いて、本実施の形態におけるＧＶ−ＯＮＵの処理の流れについて説明する。
【００５１】
図８は、本実施の形態におけるＧＶ−ＯＮＵの処理の流れを示すフローチャートである。
【００５２】
ＧＥ−ＯＮＵ２１は、番組視聴制限情報を受信すると、番組視聴制限情報から周波数情報、視聴制限時間、位相情報を抽出する（ステップＳ４１）。
【００５３】
システム時刻２１１が視聴制限時間になると（ステップＳ４２のＹｅｓ）、ＲＦ信号発生器２３は、番組視聴制限情報から抽出した周波数情報と位相情報を用いて、視聴制限番組に対応する指定周波数の逆位相波を生成し、合成部２４へ送信する（ステップＳ４３）。
【００５４】
Ｖ−ＯＮＵ２２は、一括されたＲＦ信号を各周波数へ復調し、合成部２４へ送信する（ステップＳ４４）。
【００５５】
合成部２４は、視聴制限番組に対応する逆位相波と各周波数へ復調されたＲＦ信号を合成し（ステップＳ４５）、視聴制限番組が除かれたＲＦ信号をＴＶ５へ送信する（ステップＳ４６）。
【００５６】
以上説明したように、本実施の形態によれば、ＧＶ−ＯＬＴ１の制御部１３が映像信号を復調し、システム時刻１４を用いて視聴制限番組の視聴制限時間における位相を算出してＧＶ−ＯＮＵ２へ送信し、ＧＶ−ＯＬＴ１のシステム時刻１４と同期されたＧＶ−ＯＮＵ２のシステム時刻２１１が視聴制限時間になると、ＧＶ−ＯＮＵ２のＲＦ信号発生器２３が視聴制限番組の逆位相波を生成し、合成部２４が映像信号を復調したＲＦ信号と逆位相波を合成することで、ＧＶ−ＯＮＵ２においてＲＦ信号の位相を正確に把握して視聴制限番組を打ち消すことができるので、番組の視聴制限を行うことが可能となる。その結果、ユーザは、ＴＶ５を買い換えることなく、特定の番組の視聴制限が可能となる。
【符号の説明】
【００５７】
１…ＧＶ−ＯＬＴ
１１…ＧＥ−ＯＬＴ
１２…Ｖ−ＯＬＴ
１３…制御部
１３１…番組データベース
１３２…ＲＦ信号復調部
１３３…指定波抽出部
１３４…周波数・位相計算部
１４…システム時刻
２…ＧＶ−ＯＮＵ
２１…ＧＥ−ＯＮＵ
２１１…システム時刻
２２…Ｖ−ＯＮＵ
２３…ＲＦ信号発生器
２４…合成部
３…ＨＥ
４…端末
５…ＴＶ
【図１】
2014216892.tif 000003
【図２】
2014216892.tif 000004
【図３】
2014216892.tif 000005
【図４】
2014216892.tif 000006
【図５】
2014216892.tif 000007
【図６】
2014216892.tif 000008
【図７】
2014216892.tif 000009
【図８】
2014216892.tif 000010